(57)【要約】      （修正有）【課題】長期に亘って良好な外観を維持しつつ、使用時に釣人に対して負荷を与えることのない引き舟を提供する。【解決手段】本発明の引き舟は魚を収容する本体部２を備えている。本体部２は、透明樹脂で成形し、その内面側に塗料３０ａを塗布して装飾層３０を形成していることから、透明樹脂を介して装飾層３０が視認されることを特徴とする。【選択図】図２
2011110014.tif 000002
【特許請求の範囲】
【請求項１】
魚を収容する本体部を備えた引き舟であって、
前記本体部を透明樹脂で成形し、その内面側に装飾層を形成したことを特徴とする引き舟。
【請求項２】
前記装飾層は、有色塗料を本体部内面に塗布した塗膜層であることを特徴とする請求項１に記載の引き舟。
【請求項３】
前記装飾層は、本体部内面に貼付した装飾シールであることを特徴とする請求項１に記載の引き舟。
【請求項４】
前記装飾層は、前記本体部の成形時に、インサート成形される装飾部材であることを特徴とする請求項１に記載の引き舟。
【発明の詳細な説明】
【技術分野】
【０００１】
本発明は、主に鮎釣りに際して使用される引き舟に関する。
【背景技術】
【０００２】
一般的に、鮎釣りをする場合、釣人は、オトリ鮎や釣れた鮎を収容するための魚入れ容器、具体的には、例えば特許文献１に開示されているような「引き舟」と称されるものを携行する。引き舟は、専ら釣人が実釣時において川に入った状態で使用されるものであり、オトリ鮎や釣れた鮎を入れる舟形状を有する本体部（引き舟本体）にロープの一端を連結し、他端を釣人に固定することで川に浮かせた状態で使用する。また、前記本体部には、川の水が通過できるように、適所に通水部が形成されており、内部に収容された鮎は、常時、新鮮な水が通過するため弱るようなことはない。
【０００３】
通常、上記のような引き舟の本体部は、合成樹脂等によって一体成形されており、その外観性を高めるために、表面に色彩（塗装）を施したり、装飾性のあるデザインを施したシールを貼付すること等、が行われている。
【先行技術文献】
【特許文献】
【０００４】
【特許文献１】特開２００５−２９５９３６号
【発明の概要】
【発明が解決しようとする課題】
【０００５】
上記したように、引き舟は、川の中で使用されるため、本体部に川底などの石（他物）が当たり易く、表面の塗装が剥げたり、傷が付いて見栄えが悪くなるという問題がある。また、外側に装飾性を高めるためのシール等を貼付すると、上記したように他物と接触して剥がれ易いという問題があると共に、表面に凸部が生じてしまい、流水抵抗が発生して釣人に負荷を与えてしまう。
【０００６】
本発明は、上記した事情に着目してなされたものであり、長期に亘って良好な外観を維持しつつ、使用時に釣人に対して負荷を与えることのない引き舟を提供することを目的とする。
【課題を解決するための手段】
【０００７】
上記した目的を達成するために、本発明に係る引き舟は、魚を収容する本体部を透明樹脂で成形し、その内面側に装飾層を形成したことを特徴とする。
【０００８】
上記した構成では、透明な本体部の内面側に装飾層が形成されており、装飾部分は、透明部分を介して視認される。このため、透明な部分に川底にある石等が当たっても、装飾部分が剥がれたり、傷が付くことがなく、長期に亘って良好な外観が維持される。また、他物と当たって傷等が付いても、透明な部分であるため、そのような傷等は視認し難く、外観が低下することもない。さらに、本体部の外側表面に、装飾部となる凸部がないことから、流水抵抗が発生することは無く、釣人への流水抵抗による負荷が発生することもない。
【０００９】
なお、上記した構成において、内面側とは、本体部の内面や、内部（外表面に露出することのない本体内部）が該当する。このため、装飾層については、本体部内面に有色塗料を塗布した塗膜層であっても良いし、本体部内面に貼付した装飾シールであっても良い。すなわち、このような塗膜層や装飾シールは、透明な本体部を介して視認することが可能な装飾層となる。或いは、装飾層は、本体部を成形する際に、インサート成形される装飾部材（例えば、インサート用のプレート状の部材）であっても良く、このような構成においても、透明部分を介して装飾層を視認することが可能である。
【発明の効果】
【００１０】
本発明によれば、長期に亘って良好な外観を維持しつつ、使用時に釣人に対して負荷を与えることのない引き舟が得られる。
【図面の簡単な説明】
【００１１】
【図１】本発明の一実施形態に係る引き舟の斜視図。
【図２】引き舟の本体部を示しており、装飾層の形成例を説明する概略斜視図。
【図３】装飾層の別の形成例を説明する概略斜視図。
【図４】装飾層の更に別の形成例を説明する概略斜視図。
【図５】図４のＡ−Ａ線に沿った断面図。
【発明を実施するための形態】
【００１２】
以下、本発明に係る引き舟の実施形態について、添付図面を参照して説明する。
【００１３】
図１及び図２は、本発明の第１の実施形態に係る引き舟１が示されている。本実施形態の引き舟１は、鮎釣りに際して携行される構成となっており、釣り上げた魚（以下、鮎とする）を生きたままで泳がせながら収容したり、予め購入したオトリ鮎を収容しておくもので、引き舟本体（本体部）２を備えている。
【００１４】
前記本体部２は、透明な材料、例えば、後述する装飾層（塗膜層）との密着性が良いＡＢＳ樹脂によって、所定の大きさを有する舟形の形状に成形（インジェクション成形）されている。なお、本体部２は、底面部２ａと、前面部２ｂと、側面部２ｃと、後面部２ｄとを備え、魚を収容するための収容部Ｓを内部に形成している。また、本体部２には、その開口を閉塞する上面部３が装着される。
【００１５】
前記本体部２に装着される上面部３には、浮き体（図示せず）が取り付けられており、本体部２を水中で安定的に浮かせるようになっている。また、本体部２の前側（船首側）の側面部２ｃには、複数個の通水孔７が穿設されており、これらの通水孔７を通じて流水が容器内部に入るとともに容器内部の水が流出し、絶えず本体部２内部（収容部Ｓ）の水を循環できるようになっている。
【００１６】
前記本体部２の前面部２ｂには、牽引ロープ２０が取り付けられており、この牽引ロープ２０の一端側には、吊り下げ用のハンドル２１が設けられると共に、他端側には、釣人のベルト等へ止着する止着具（図示せず）が設けられている。
【００１７】
これにより、釣人は、釣りをしている間、牽引ロープ２０を引っ張って引き舟１を流水中に漂わせながら携行することが可能となる。この場合、前記通水孔７を通じて流水が容器内部に入ると共に、容器内部の水が流出し、絶えず収容部Ｓ内の水を循環させて内部に収容された鮎が弱らないように保持しておくことが可能となる。なお、通水孔７を形成する位置や個数については、特に限定されることはない。
【００１８】
前記上面部３の前側（船首側）には、収容部内へ鮎を投入することが可能な投入口８が設けられている。前記投入口８は、上面部３の前方側に形成された開口３ａを閉塞する蓋体３Ａに設けられており、この蓋体３Ａに形成される開口３ｂを閉塞する閉塞板１０を備えた構成となっている。
【００１９】
前記蓋体３Ａは、専ら、本体部２を大きく傾けることで、内部に収容されている鮎を一度に取り出すことを可能にするものであり、上面部３に設けられたヒンジ１４によって開閉可能に蝶着されている。そして、蓋体３Ａは、その前端に設けられた操作体１５の係止部を、本体部２の前面部２ｂの内面に設けられた係止溝に係脱可能に係止させることにより、本体部２に取着され、開口３ａを閉塞するようになっている。
【００２０】
また、前記閉塞板１０は、同じ形状で一対設けられており、公知のように、釣人が鮎を掴んだ状態で閉塞板１０に押し当てると、閉塞板１０は、図示されていないバネの付勢力に抗して回動し、その鮎を収容部Ｓ内に投入することが可能となり、かつ釣人が掴んだ鮎を離して投入口８から手を引抜くと、閉塞板１０は、バネの付勢力によって閉塞状態に復帰する構成となっている。
【００２１】
なお、前記閉塞板１０には、長手方向に延びる開口１０ａを形成しておくことが好ましい。このような開口１０ａを形成しておくことにより、実釣時に引き舟１が転覆しても、閉塞板部分で流水を通過させることができるため、流水の圧力によって不用意に閉塞板が開放して、内部に収容されている鮎が逃げることを防止することが可能となる。
【００２２】
上述したように、透明樹脂によって一体成形された本体部２の内面側には、装飾層３０が形成される。この装飾層３０は、外部から透明な本体部２を介して視認できるように形成されるものであり、本体部２の表面（露出表面）に設けない構成となっている。
【００２３】
このように、透明な本体部２の内面に装飾層３０が形成されており、このような装飾層は、透明部分を介して視認することが可能となる。このため、透明な部分に川底にある石等が当たっても、装飾層が剥がれたり、傷が付くことがなく、長期に亘って良好な外観が維持される。また、他物と当たって傷等が付いても、透明な部分となっているため、そのような傷等は視認し難く、外観を損なうことはない。さらに、本体部２の外側表面は面一状となっている（装飾を施すことによる凸部がない）ため、流水抵抗が発生することは無く、釣人への流水抵抗による負荷が発生することもない。
【００２４】
本実施形態の装飾層３０は、本体部２の内面全体に亘って塗装を施すことで形成され、例えば、図２に示すように、ガン吹き等によって有色の塗料（ＡＢＳ樹脂との密着性の良いアクリル塗料、ウレタン塗料、アクリルウレタン塗料など）３０ａを吹き付けることで形成される。この場合、色彩、光輝性のある塗料を用いることにより、外観の優れた装飾層（色彩のある装飾部分）を形成することが可能となり、このような外観を長期に亘って維持することが可能となる。
【００２５】
図３は、装飾層の別の形成例を説明する概略斜視図である。  
この実施形態では、本体の内面側に形成される装飾層を、塗装以外で形成する態様を示しており、内面に対して装飾性のあるシール（装飾シール）３２を貼付することで装飾層を形成するようにしている。このような装飾シール３２は、透明部分を介して視認することが可能であり、外部に露出して凹凸を形成することもなく、かつ、他物が当たって剥がれるようなこともない。なお、装飾シール３２を貼付した後、上記した実施形態のようにガン吹き等によって塗料３０ａを塗布した模様層を施しても良い。或いは、必要に応じてシール部の周囲にクリア塗料を施してシールの端部を本体に密着させるために、目止めしておいても良い。
【００２６】
上記したような装飾シール３２を本体部２の内面に貼付することで、上記した実施形態と同様な作用効果が得られると共に、複雑な形状・デザインを印刷したシールを用いることも可能となり、更には、光輝性シールやホログラムシール等を用いることで、より装飾性（外観）を向上することが可能となる。この場合、上記したような装飾シールは、本体部２の側面部２ｃ、前面部２ｂ、底面部２ａの適所に貼付しておくことが可能である。
【００２７】
図４は、装飾層の更に別の形成例を説明する概略斜視図、図５は、図４のＡ−Ａ線に沿った断面図である。
【００２８】
本実施形態の装飾層は、本体部２の成形時に、インサート成形される装飾部材３５によって構成されている。装飾部材３５は、例えば、プレート状に構成されており、本体部２を形成する金型内の所定位置に充填した後、本体部２と共に一体形成される。インサート用の装飾部材３５の表面には、複雑な模様や色彩を付与したり、印刷されたフィルム塗装を施しておくことが可能であり、このような装飾部（装飾層）は、透明部分を介して視認することが可能である。
【００２９】
このような構成によれば、上記した実施形態と同様な作用効果が得られると共に、模様層をインサート成形したことで、より本体部と装飾部材が一体化され、装飾部が剥がれることや劣化することを防止することができ、優れた外観を長期に亘って維持することが可能となる。
【００３０】
もちろん、このような構成においても、上記した実施形態のように、内面に塗装を施して装飾層３０を形成したり、装飾シール３２を貼付して装飾層を形成しても良い。
【符号の説明】
【００３１】
１  引き舟
２  本体部
３０  装飾層
３０ａ  塗料
３２  装飾シール（装飾層）
３５  装飾部材（装飾層）
【図１】
2011110014.tif 000003
【図２】
2011110014.tif 000004
【図３】
2011110014.tif 000005
【図４】
2011110014.tif 000006
【図５】
2011110014.tif 000007